【事件の表示】
　特願２００８−２４５３９４「映像記録・画像キャプチャ装置」拒絶査定不服審判事件〔平成２１年　４月１６日出願公開、特開２００９−　８１８５７〕について、次のとおり審決する。
【結　論】
　本件審判の請求は、成り立たない。
【理　由】
第１．手続の経緯
　本願は、２００３年（平成１５年）９月１５日（パリ条約による優先権主張２００２年（平成１４年）９月１３日、アメリカ合衆国）を国際出願日とする出願（特願２００４−５３６５４７号）の一部を平成２０年９月２５日に新たな特許出願としたものであって、平成２４年６月２９日に拒絶査定がなされ、これに対し、平成２４年１１月１２日に審判請求がなされると同時に手続補正がなされたものである。
　
第２．本願発明について
１．本願発明
　本願の請求項に係る発明は、平成２４年１１月１２日付けの手続補正により補正された特許請求の範囲の請求項１ないし１０に記載された事項により特定されるものであるところ、その請求項１に係る発明（以下、「本願発明」という）は、次のとおりのものである。
　
「データを記録するための映像記録・画像キャプチャ装置において、
　メインボード（１１５）と、メインボード（１１５）に接続されるインターフェース（１３５）と、インターフェース（１３５）と通信すると共に、インターフェース（１３５）に送られる画像ストリーム（２５）を発生するカメラ（２０）と、インターフェース（１３５）と通信すると共に、インターフェース（１３５）に送られる音声ストリーム（３１５）を発生する音声装置（４０）と、メインボード（１１５）に接続される記憶装置（１２０）と、メインボード（１１５）に接続されてユーザー（１０）による接触に応答することにより、インターフェース（１３５）のための制御指令を提供するタッチスクリーン（１４５）と、前記メインボード（１１５）上で実行すると共に、前記映像記録・画像キャプチャ装置を操作するように制御信号を発生する音声認識モジュール（３１９）とを備え、更に、画像ストリーム（２５）と音声ストリーム（３１５）が、デジタルデータストリーム（３２０）に多重化され、且つ、デジタルデータストリーム（３２０）が、記憶装置（１２０）に保存される映像記録・画像キャプチャ装置。」
　
２．刊行物
（１）刊行物１の記載事項
　原査定の拒絶の理由で引用された本願の優先権主張の日前に頒布された刊行物である特開平６−３０４１３３号公報（以下、「刊行物１」という）には、次の事項が記載されている。
　
「【０００１】
【産業上の利用分野】本発明は血管内視鏡装置、特に光ディスク装置を備えた血管内視鏡装置に関する。」
　
「【０００３】・・・（省略）・・・本発明の目的は、血管内視鏡装置に光ディスク装置を搭載することにより、携帯可能な光ディスク上に拡大血管内腔像のデジタル圧縮ビデオ信号を動画記録すると共に、デジタル圧縮オーディオ信号及びデジタル圧縮生体信号を記録し、血管内視鏡装置により得られた信号の記録・再生等の処理を簡単かつ短時間で行うことにある。」
　
「【０００６】
【実施例】以下、本発明を実施例により添付図面と参照して説明する。図１は、本発明の実施例を示す図である。同図において、参照符号１０は血管内視用カテーテル、１２はアイピース、１４はテレビカメラ、１６はリアルタイム画像処理部、１８はモニタ、２０は血管内腔照光源、２２はマイクロホン、２４はポリグラフ、２６は制御部、２８は光ディスク装置、３０はスピーカである。上記血管内視用カテーテル１０は、血管内腔照光源２０からの可視冷光Ｓ２０ａを導光して血管内腔を照明するライトガイド１０Ｂと、血管内腔を照明した光の反射光による血管内腔像を伝達してその接眼端面に血管内腔像Ｓ１０ａを形成するイメージガイド１０Ａとを少なくとも備えている。上記アイピース１２は、イメージガイド１０Ａの接眼端面における上記血管内腔像Ｓ１０ａを拡大し、拡大血管内腔像Ｓ１２ａを、テレビカメラ１４の撮像素子上に結像させる装置であり、集光レンズ等で形成されている。上記テレビカメラ１４は、その内部に撮像素子を備え、上記拡大血管内腔像Ｓ１２ａを入力して電気信号であるビデオ信号Ｓ１４ａに変換する装置である。
【０００７】上記リアルタイム画像処理部１６は、その入力した拡大血管内腔像のビデオ信号Ｓ１４ａをデジタル変換し、イメージガイド１０Ａを構成する各ファイバー素子の最も明るい中心に当たる点をサンプリングして取り出し、各ファイバー素子との間をリアルタイムで連続して補間処理すると共に、イメージガイド１０Ａの画素数に対応する画像データ量（例えば、Ｒ、Ｇ、Ｂ分離データであれば３倍）まで圧縮されたデジタルビデオ信号を出力し、かつ後述するマイクロホン２２から入力されたオーディオ信号Ｓ２２ａ及びポリグラフ２４から入力された生体信号Ｓ２４ａをそれぞれデジタル変換して圧縮処理をする装置である。」
　
「【０００８】上記マイクロホン２２は、音声を電気信号であるオーディオ信号に変換する装置であり、ポリグラフ２４は、心電図波や脈波等を電気信号である生体信号に変換する装置である。また、制御部２６は、その制御信号Ｓ２６ａによりリアルタイム画像処理部１６の画像処理モード設定等を行うと共に、図２に示す血管内視鏡装置全体の制御を掌どる。
【０００９】更に、光ディスク装置２８は、光ディスクドライバ２８Ａと光ディスク２８Ｂとから構成され、リアルタイム画像処理部１６によりイメージガイド１０Ａの画素数に対応する画像データ量まで圧縮処理されたデジタル圧縮ビデオ信号Ｓ１を動画記録すると共に、デジタル圧縮オーディオ信号Ｓ２及びデジタル圧縮生体信号Ｓ３を記録する装置である。」
　
「【００１０】以下、上記構成を有する本発明の作用を説明する。先ず、血管内視用カテーテル１０を患者の血管内に挿入すると共に、マイクロホン２２、ポリグラフ２４を設置し、かつ光ディスクドライバ２８Ａに３．５インチ等携帯可能な大きさの円盤状光ディスク２８Ｂを装着する。この状態で、血管内腔照光源２０からの可視冷光Ｓ２０ａをライトガイド１０Ｂにより導光して血管内腔を照明すると、血管内腔を照明した光の反射光による血管内腔像がイメージガイド１０Ａ内を伝送してきてその接眼端面に血管内腔像Ｓ１０ａが形成され、アイピース１２とテレビカメラ１４を経て拡大血管内腔像Ｓ１２ａのビデオ信号Ｓ１４ａがリアルタイム画像処理部１６に入力する。
【００１１】リアルタイム画像処理部１６においては、既述したように、上記ビデオ信号Ｓ１４ａがデジタル変換され、イメージガイド１０Ａを構成する各ファイバー素子の最も明るい中心に当たる点がサンプリングして取り出されて、各ファイバー素子との間がリアルタイムで連続して補間処理される共に、座標と輝度に各分離されたデジタルビデオ信号Ｓ１が出力される。上記リアルタイム画像処理部１６から出力されたイメージガイド１０Ａの画素の中心に相当する座標と、そのサンプリングされた拡大血管内腔像のデジタル圧縮ビデオ信号Ｓ１は、光ディスクドライバ２８Ａに入力する。
【００１２】光ディスクドライバ２８Ａにおいては、その光ヘッドの半導体レーザ発振器から放射されたレーザ光が上記入力したデジタル圧縮ビデオ信号Ｓ１により変調され、装着した円盤状の光ディスク２８Ｂ上にイメージガイド１０Ａの画素数に対応する画像データ量まで圧縮処理された拡大血管内腔像のデジタル圧縮ビデオ信号Ｓ１の動画記録がなされる。
【００１３】一方、マイクロホン２２から出力したオーディオ信号Ｓ２２ａと、ポリグラフ２４から出力した生体信号Ｓ２４ａは、いずれも上記リアルタイム画像処理部１６に入力してデジタル変換されると共に、圧縮処理がなされ、デジタル圧縮オーディオ信号Ｓ２及びデジタル圧縮生体信号Ｓ３が、光ディスクドライバ２８Ａに入力する。
【００１４】光ディスクドライバ２８Ａにおいては、同様に、光ヘッドの半導体レーザ発振器から放射されたレーザ光が上記入力したデジタル圧縮オーディオ信号Ｓ２及びデジタル圧縮生体信号Ｓ３により変調され、装着した円盤状の光ディスク２８Ｂ上に該デジタル圧縮オーディオ信号Ｓ２及びデジタル圧縮生体信号Ｓ３が記録される。」
　
「【図１】
                                                            」
　
（２）刊行物１発明
ア．「光ディスク上に拡大血管内腔像のデジタル圧縮ビデオ信号を動画記録する血管内視鏡装置」
　
　刊行物１には、光ディスク装置を備えた血管内視鏡装置に関する発明が記載されており（【０００１】）、これは、光ディスク上に拡大血管内腔像のデジタル圧縮ビデオ信号を動画記録するものである（【０００３】）。
　したがって、刊行物１には、「光ディスク上に拡大血管内腔像のデジタル圧縮ビデオ信号を動画記録する血管内視鏡装置」が記載されている。
　
イ．「リアルタイム画像処理部と、該リアルタイム画像処理部に拡大血管内腔像のビデオ信号を入力するテレビカメラと、該リアルタイム画像処理部にオーディオ信号を入力するマイクロホンと、該リアルタイム画像処理部に接続される光ディスク装置と、制御信号によりリアルタイム画像処理部の画像処理モード設定等を行うと共に、血管内視鏡装置全体の制御を掌どる制御部とを備え、」
　
　刊行物１の血管内視鏡装置は、リアルタイム画像処理部、テレビカメラ、マイクロホン、光ディスク装置、制御部を備えている（【０００６】）。
　テレビカメラは、拡大血管内腔像を入力してビデオ信号に変換し、リアルタイム画像処理部にそのビデオ信号を入力するものである（【０００６】、【０００７】）から、該リアルタイム画像処理部に拡大血管内腔像のビデオ信号を入力するものであるといえる。
　リアルタイム画像処理部は、マイクロホンから入力されたオーディオ信号をデジタル変換して圧縮処理をする（【０００７】）から、マイクロホンは、該リアルタイム画像処理部にオーディオ信号を入力するものであるといえる。
　光ディスク装置は、該リアルタイム画像処理部に接続されている（【図１】）。
　制御部は、制御信号によりリアルタイム画像処理部の画像処理モード設定等を行うと共に、血管内視鏡装置全体の制御を掌どるものである（【０００８】）。
　したがって、刊行物１の血管内視鏡装置は、リアルタイム画像処理部と、該リアルタイム画像処理部に拡大血管内腔像のビデオ信号を入力するテレビカメラと、該リアルタイム画像処理部にオーディオ信号を入力するマイクロホンと、該リアルタイム画像処理部に接続される光ディスク装置と、制御信号によりリアルタイム画像処理部の画像処理モード設定等を行うと共に、血管内視鏡装置全体の制御を掌どる制御部とを備えているといえる。
　
　ウ．「前記ビデオ信号と前記オーディオ信号を前記リアルタイム画像処理部でデジタル変換し圧縮処理をして光ディスク装置に記録される血管内視鏡装置。」
　
　リアルタイム画像処理部は、入力した拡大血管内腔像のビデオ信号をデジタル変換し、圧縮されたデジタルビデオ信号を出力し、かつ、マイクロホンから入力されたオーディオ信号をデジタル変換して圧縮処理をする装置であり（【０００７】）、光ディスク装置は、リアルタイム画像処理部により圧縮処理されたデジタル圧縮ビデオ信号を動画記録すると共に、デジタル圧縮オーディオ信号を記録する装置である（【０００９】）から、刊行物１の血管内視鏡装置は、前記ビデオ信号と前記オーディオ信号が前記リアルタイム画像処理部でデジタル変換され圧縮処理されて光ディスク装置に記録される血管内視鏡装置といえる。
　
エ．まとめ
　以上をまとめると、刊行物１には、次の発明（以下、「刊行物１発明」という）が記載されていると認められる。
　
「光ディスク上に拡大血管内腔像のデジタル圧縮ビデオ信号を動画記録する血管内視鏡装置において、
　リアルタイム画像処理部と、該リアルタイム画像処理部に拡大血管内腔像のビデオ信号を入力するテレビカメラと、該リアルタイム画像処理部にオーディオ信号を入力するマイクロホンと、該リアルタイム画像処理部に接続される光ディスク装置と、制御信号によりリアルタイム画像処理部の画像処理モード設定等を行うと共に、血管内視鏡装置全体の制御を掌どる制御部とを備え、前記ビデオ信号と前記オーディオ信号が前記リアルタイム画像処理部でデジタル変換され圧縮処理されて光ディスク装置に記録される血管内視鏡装置。」
　
３．本願発明と刊行物１発明との対比
（１）「データを記録するための映像記録・画像キャプチャ装置」
　
　刊行物１発明は、ビデオ信号を動画記録する装置であるから、データを記録するための映像記録装置といえ、この点では本願発明と共通している。もっとも、刊行物１発明は、画像キャプチャについては特定されていないから、本願発明は、「映像記録・画像キャプチャ装置」であるのに対し、刊行物１発明は、映像記録装置とはいえるが、画像キャプチャについては特定されていない点（相違点１）で両者は相違する。
　
（２）「メインボード（１１５）と、メインボード（１１５）に接続されるインターフェース（１３５）と、インターフェース（１３５）と通信すると共に、インターフェース（１３５）に送られる画像ストリーム（２５）を発生するカメラ（２０）と、インターフェース（１３５）と通信すると共に、インターフェース（１３５）に送られる音声ストリーム（３１５）を発生する音声装置（４０）と、メインボード（１１５）に接続される記憶装置（１２０）」
　
　本願発明は、「メインボード（１１５）と、メインボード（１１５）に接続されるインターフェース（１３５）と、インターフェース（１３５）と通信すると共に、インターフェース（１３５）に送られる画像ストリーム（２５）を発生するカメラ（２０）と、インターフェース（１３５）と通信すると共に、インターフェース（１３５）に送られる音声ストリーム（３１５）を発生する音声装置（４０）と、メインボード（１１５）に接続される記憶装置（１２０）」を備えるが、このインターフェースは、メインボードとカメラ及び音声装置とを接続し通信をさせる仲介をしているものである。
　したがって、本願発明は、換言すれば、「メインボード（１１５）と、メインボード（１１５）と通信すると共に、メインボードに送られる画像ストリーム（２５）を発生するカメラ（２０）と、メインボード（１１５）と通信すると共に、メインボードに送られる音声ストリーム（３１５）を発生する音声装置（４０）と、メインボード（１１５）に接続される記憶装置（１２０）」を備えており、さらに、「メインボード（１１５）に接続されるインターフェース（１３５）」を備え、メインボードとカメラ及び音声装置との通信が該インターフェースを介して行われるものであるといえる。
　刊行物１発明は、リアルタイム画像処理部と、該リアルタイム画像処理部に拡大血管内腔像のビデオ信号（「画像ストリーム」といえる）を入力するテレビカメラと、該リアルタイム画像処理部にオーディオ信号（「音声ストリーム」といえる）を入力するマイクロホンと、該リアルタイム画像処理部に接続される光ディスク装置を備えており、このうちリアルタイム画像処理部は、入力したビデオ信号やオーディオ信号に対してデジタル変換、補間処理、圧縮処理などを行うものであり（刊行物１の段落【０００７】を参照）、本願発明の、画像ストリーム、音声ストリームが送られ制御を行う「メインボード」に相当する部分を有しているといえる。
　また、刊行物１発明の「テレビカメラ」、「マイクロホン」、「光ディスク装置」は、それぞれ、本願発明の「カメラ」、「音声装置」、「記憶装置」に相当し、これらはリアルタイム画像処理部と接続され通信を行うから、本願発明と刊行物１発明は、「メインボード（１１５）と、メインボード（１１５）と通信すると共に、メインボードに送られる画像ストリーム（２５）を発生するカメラ（２０）と、メインボード（１１５）と通信すると共に、メインボードに送られる音声ストリーム（３１５）を発生する音声装置（４０）と、メインボード（１１５）に接続される記憶装置（１２０）」を備えるといえる点で共通している。
　ただし、本願発明は、「メインボード（１１５）に接続されるインターフェース（１３５）」を備え、メインボードとカメラ及び音声装置との通信が該インターフェースを介して行われるのに対し、刊行物１発明は、そのようなインターフェースについて特定されていない点（相違点２）で両者は相違する。
　
（３）「メインボード（１１５）に接続されてユーザー（１０）による接触に応答することにより、インターフェース（１３５）のための制御指令を提供するタッチスクリーン（１４５）」
　
　本願発明の「ユーザー（１０）による接触」は、「ユーザによる操作」といえ、タッチスクリーンが提供する「インターフェース（１３５）のための制御指令」は、カメラやマイクからインターフェースに入力された画像ストリーム、音声ストリームに対して記録、キャプチャ、ミューティングなどを指令（本願明細書段落【００５０】−【００５４】、【００６１】、【００６９】−【００７２】を参照）するものであって、装置のための制御指令といえる。また、「タッチスクリーン」は、制御指令を提供する「制御部」といえる。
　刊行物１発明の制御部は、制御信号によりリアルタイム画像処理部の画像処理モード設定等を行うと共に、血管内視鏡装置全体の制御を掌どるものであって、ユーザによる操作に応答することにより、装置のための制御信号を提供するものであるといえる。また、この制御信号が提供されるリアルタイム画像処理部は、上記（２）で述べたように、本願発明の「メインボード」に相当する部分を有しており、刊行物１発明の制御部は、この「メインボード」に相当する部分に接続されていると認められる。
　したがって、本願発明と刊行物１発明は、「メインボード（１１５）に接続されてユーザー（１０）による操作に応答することにより、装置のための制御指令を提供する制御部」を備えるといえる点で共通している。
　ただし、本願発明は、「メインボード（１１５）に接続されてユーザー（１０）による接触に応答することにより、インターフェース（１３５）のための制御指令を提供するタッチスクリーン（１４５）」を備えるのに対し、刊行物１発明は、メインボードに接続されてユーザーによる操作に応答することにより、装置のための制御指令を提供する制御部を備えるとはいえるが、装置のための制御指令が、装置内のインターフェースのためのものであること、制御部が、ユーザによる接触に応答するタッチスクリーンであることについて特定されていない点（相違点３）で両者は相違する。
　
（４）「前記メインボード（１１５）上で実行すると共に、前記映像記録・画像キャプチャ装置を操作するように制御信号を発生する音声認識モジュール（３１９）」
　
　本願発明は、「前記メインボード（１１５）上で実行すると共に、前記映像記録・画像キャプチャ装置を操作するように制御信号を発生する音声認識モジュール（３１９）」を備えるのに対し、刊行物１発明はそのような音声認識モジュールを備えていない点（相違点４）で両者は相違する。
　
（５）「更に、画像ストリーム（２５）と音声ストリーム（３１５）が、デジタルデータストリーム（３２０）に多重化され、且つ、デジタルデータストリーム（３２０）が、記憶装置（１２０）に保存される」
　
　刊行物１発明は、前記ビデオ信号と前記オーディオ信号が前記リアルタイム画像処理部でデジタル変換され圧縮処理されて光ディスク装置に記録されるものであるから、本願発明と刊行物１発明とは、「更に、画像ストリーム（２５）と音声ストリーム（３１５）が、記憶装置（１２０）に保存される」点で共通する。
　もっとも、本願発明は、「画像ストリーム（２５）と音声ストリーム（３１５）が、デジタルデータストリーム（３２０）に多重化され、且つ、デジタルデータストリーム（３２０）が、記憶装置（１２０）に保存される」のに対し、刊行物１発明は、画像ストリームと音声ストリームが、記憶装置に保存されるものであるとはいえるが、デジタルデータストリームに多重化されるか否かは明らかでない点（相違点５）で両者は相違する。
　
（６）一致点及び相違点
　以上をまとめると、本願発明と刊行物１発明の一致点、相違点は次のとおりである。
　
［一致点］
　データを記録するための映像記録装置において、
　メインボード（１１５）と、メインボード（１１５）と通信すると共に、メインボードに送られる画像ストリーム（２５）を発生するカメラ（２０）と、メインボード（１１５）と通信すると共に、メインボードに送られる音声ストリーム（３１５）を発生する音声装置（４０）と、メインボード（１１５）に接続される記憶装置（１２０）と、メインボード（１１５）に接続されてユーザー（１０）による操作に応答することにより、装置のための制御指令を提供する制御部と、を備え、更に、画像ストリーム（２５）と音声ストリーム（３１５）が、記憶装置（１２０）に保存される映像記録装置。
　
［相違点１］
　本願発明は、「映像記録・画像キャプチャ装置」であるのに対し、刊行物１発明は、映像記録装置とはいえるが、画像キャプチャについては特定されていない点。
　
［相違点２］
　本願発明は、「メインボード（１１５）に接続されるインターフェース（１３５）」を備え、メインボードとカメラ及び音声装置との通信が該インターフェースを介して行われるのに対し、刊行物１発明は、そのようなインターフェースについて特定されていない点。
　
［相違点３］
　本願発明は、「メインボード（１１５）に接続されてユーザー（１０）による接触に応答することにより、インターフェース（１３５）のための制御指令を提供するタッチスクリーン（１４５）」を備えるのに対し、刊行物１発明は、メインボードに接続されてユーザーによる操作に応答することにより、装置のための制御指令を提供する制御部を備えるとはいえるが、装置のための制御指令が、装置内のインターフェースのためのものであること、制御部が、ユーザによる接触に応答するタッチスクリーンであることについて特定されていない点。
　
［相違点４］
　本願発明は、「前記メインボード（１１５）上で実行すると共に、前記映像記録・画像キャプチャ装置を操作するように制御信号を発生する音声認識モジュール（３１９）」を備えるのに対し、刊行物１発明はそのような音声認識モジュールを備えていない点。
　
［相違点５］
　本願発明は、「画像ストリーム（２５）と音声ストリーム（３１５）が、デジタルデータストリーム（３２０）に多重化され、且つ、デジタルデータストリーム（３２０）が、記憶装置（１２０）に保存される」のに対し、刊行物１発明は、画像ストリームと音声ストリームが、記憶装置に保存されるものであるとはいえるが、デジタルデータストリームに多重化されるか否かは明らかでない点。
　
４．当審の判断
（１）相違点１について
　刊行物１発明の血管内視鏡装置は、医師が血管内の患部を観察診断するため患部の動画を記録するものである。患部の観察診断を精密に行うために動画を止めて静止画を観察して診断することは普通に想定し得ることであり、その静止画は診断の根拠となるものであるから、その静止画をキャプチャして保存しようとすることは自然に想到し得ることである。また、動画から静止画をキャプチャして保存する画像キャプチャ装置自体はよく知られたものであるから、刊行物１発明の映像記録装置において、画像キャプチャの機能を備えて映像記録・画像キャプチャ装置とすることは当業者が容易に想到し得ることである。
　
（２）相違点２について
　信号処理部に外部から信号を入力する場合に、入力する信号と処理する信号の形式が異なれば（例えば、アナログ／デジタルなど）、形式を合わせるために入力部分にインターフェースを備えることは普通に行われていることである。刊行物１発明においても、リアルタイム画像処理部にテレビカメラやマイクロホンの信号を入力する場合に、形式が異なれば、形式を合わせるために入力部分にインターフェースを備えることは必要に応じて当業者が適宜なし得る事項である。
　
（３）相違点３について
　刊行物１発明では、ユーザーによる操作に応答することにより血管内視鏡装置のための制御指令を提供する制御部について、その具体的な構成は特定されていないが、この制御部はモード設定等を行うものであり、そのような制御部の構成としては操作性などを考慮して種々の操作子の採用が考えられるから、そのような制御部の操作子としてよく用いられているタッチスクリーンを採用することは当業者が容易に想到し得ることである。
　また、刊行物１発明の血管内視鏡装置のための制御指令としては、テレビカメラやマイクロホンからリアルタイム画像処理部に入力されたビデオ信号、オーディオ信号に対して記録、再生、モニタなどを行う制御指令が想定でき、上記（２）で述べたように、刊行物１発明において、リアルタイム画像処理部の入力部分にインターフェースを備えることは必要に応じて当業者が適宜なし得る事項であるから、そうした場合に、テレビカメラやマイクロホンからインターフェースに入力されたビデオ信号、オーディオ信号に対して上記のような制御指令をそのような制御が可能なインターフェースに指令する構成とすること（すなわち、インターフェースのための制御指令を提供すること）は当業者が容易に想到し得ることである。
　よって、刊行物１発明において、「メインボードに接続されてユーザーによる接触に応答することにより、インターフェースのための制御指令を提供するタッチスクリーン」を備えることは当業者が容易に想到し得ることである。
　
（４）相違点４について
　刊行物１に記載された血管内視鏡装置は、手術中に医師が血管内等の患部に血管内視用カテーテルを挿入して人体内患部をモニタで観察し、マイクロホンで入力した音声等とともに記録・再生を行い、また、制御部によりモード設定や血管内視鏡装置全体の制御を行うものである。
　このような装置において、医師はカテーテルの操作、モニタによる観察、音声入力、制御部の操作など多くのことを行わなければならないので、制御部の操作をできるだけ簡易にしたい、衛生面を考慮して非接触の操作が望ましいなどは容易に想像し得ることであり、また、実際、内視鏡装置において、操作を非接触で簡易にするために音声認識を用いて装置を制御することは周知の技術（＊）であるから、刊行物１発明において、音声認識を用いて装置全体を制御すること、そのために装置の制御を行うリアルタイム画像処理部（本願発明の「メインボード」に相当）に制御信号を発生する音声認識モジュールを備え実行することは当業者が容易に想到し得ることである。
　よって、刊行物１発明において、「前記メインボード（１１５）上で実行すると共に、前記映像記録・画像キャプチャ装置を操作するように制御信号を発生する音声認識モジュール」を備えることは当業者が容易に想到し得ることである。
　
（＊）例えば、特表平８−５０８５９７号公報には、内視鏡検査システムに関する技術であって、「医師は、音声アダプタ３４ｄにより音声ピックアップ５０からホストプロセッサ３０にリレーされる音声コマンドを用いてシステム１０を制御することができる。」（第１２頁、図２）と記載されている。
　特開平６−１７８７５８号公報には、「マイクから入力された操作用語の音声を認識する音声認識回路と、この音声認識回路で認識した操作用語を合成する音声合成回路とを設け、上記認識した操作用語に対応した操作信号を制御部へ出力すると共に、この操作用語をスピーカを通して音声出力するようにした電子内視鏡の操作制御装置。」（請求項１）が記載されている。
　特開平１−２９７０３５号公報には、「音声入力手段と、該音声入力手段の出力の音声を認識する音声認識手段と、該音声認識手段の出力に応じて制御信号を発生する制御信号発生手段と、前記音声入力手段と音声認識手段と制御信号発生手段の少なくとも一つを非動作とすることができる作動制御手段と、を有することを特徴とする内視鏡装置。」（請求項１）が記載されている。
　
（５）相違点５について
　刊行物１発明では、ビデオ信号とオーディオ信号をデジタル変換し圧縮処理をして光ディスク装置に記録している。ビデオ信号とオーディオ信号を記録する光ディスク装置としてはＤＶＤが広く用いられており、刊行物１発明において、光ディスク装置としてＤＶＤを用いることはごく普通に想定できることである。また、ＤＶＤはビデオ信号とオーディオ信号を多重化して記録（保存）するものである。
　したがって、刊行物１発明において、画像ストリームと音声ストリームが記憶装置に保存される際に、多重化されたデジタルデータストリームとして保存される（すなわち、「画像ストリーム（２５）と音声ストリーム（３１５）が、デジタルデータストリーム（３２０）に多重化され、且つ、デジタルデータストリーム（３２０）が、記憶装置（１２０）に保存される」）構成とすることは当業者が容易に想到し得ることである。
　
（６）まとめ
　以上の相違点１ないし５を併せて考察しても格別のものはなく、その効果についても予測し得る範囲内のものである。
　したがって、本願発明は、刊行物１に記載された発明及び周知技術に基づいて当業者が容易に発明をすることができたものである。
　
第３．むすび
　以上のとおりであるから、本願の請求項１に係る発明は、特許法第２９条第２項の規定により特許を受けることができない。
　したがって、本願は、その余の請求項について論及するまでもなく、拒絶すべきものである。
　よって、結論のとおり審決する。